(57)【特許請求の範囲】
【請求項１】
トランスポートストリームから指定された番組の映像、音声情報とそれに付随する情報を抽出する番組抽出分離手段と、デジタル圧縮符号化された画像データ／音声データを復元するビデオ、音声デコード手段と、時刻情報を与えるタイマ手段と、選択された番組の映像符号からシーケンスヘッダタイミングを検出するシーケンスヘッダタイミング検出手段と、前記シーケンスヘッダタイミング検出手段から出力されたシーケンスヘッダタイミングの周期を検出するシーケンスヘッダ周期検出手段と、前記シーケンスヘッダ周期検出手段により検出された周期の基準信号パルスを発生する基準信号発生手段と、前記シーケンスヘッダタイミング検出手段から出力される視聴中番組のシーケンスヘッダタイミングと前記基準信号発生手段からの基準信号パルスとの位相を検出する位相検出手段と、前記シーケンスヘッダ周期検出手段により検出された特定の番組のシーケンスヘッダ周期、前記番組番号抽出手段により検出された視聴中の番組の番組番号、前記位相検出手段により検出された視聴中の番組の位相を保持するメモリ手段と、リモコン等により次に視聴する番組の番組番号を指定する番組番号設定手段と、前記メモリ手段に保持された番組番号とその番組の位相情報を基に次に視聴する番組のシーケンスヘッダタイミングと前記基準信号発生手段による基準信号パルスとの位相を予測するマイコン装置と、前記マイコン装置からのタイミング設定により、次に視聴する番組を設定するためのチャンネル切り替えコードを前記番組抽出分離手段に設定するチャンネル切り替え設定手段とを備え、チャンネル切り替え時に、次に視聴する番組のシーケンスヘッダのタイミングを過去に同番組において検出したシーケンスヘッダのタイミング情報を基に予測し、チャンネル切り替え設定を次に視聴する番組の予測されるシーケンスヘッダタイミングに同期して設定することにより、チャンネル切り替え時のシーケンスヘッダ検出までの視聴不可時間を軽減することを特徴とするデジタル放送受信機。
【請求項２】
請求項１におけるシーケンスヘッダ周期検出手段が、シーケンスヘッダのタイミングでタイマ手段からの時刻情報を与えるカウンタ値を取り込む第１のデータフリップフロップと、前記第１のデータフリップフロップから出力されるカウンタ値を次のシーケンスヘッダのタイミングで取り込む第２のデータフリップフロップと、前記第１および第２のデータフリップフロップから出力されるカウンタ値の差をとる減算手段により構成され、位相検出手段が、前記請求項１の基準信号発生手段からの基準信号によりリセットされる第１のカウント手段と、前記カウント手段からのカウンタ値をシーケンスヘッダのタイミングで取り込む第３のデータフリップフロップにより構成され、チャンネル切り替え設定手段が、設定値に基づき入力信号パルスに対し一定の遅延時間を与える遅延手段と、前記遅延手段からのパルス信号のタイミングで、チャンネル切り替えコードを出力する第４のデータフリップフロップにより構成される請求項１記載のデジタル放送受信機。
【請求項３】
トランスポートストリームから指定された番組の映像、音声情報とそれに付随する情報を抽出する番組抽出分離手段と、デジタル圧縮符号化された画像データ／音声データを復元するビデオ、音声デコード手段と、時刻情報を与えるタイマ手段と、選択された番組の映像符号からシーケンスヘッダタイミングを検出するシーケンスヘッダタイミング検出手段と、前記シーケンスヘッダタイミング検出手段から出力されたシーケンスヘッダタイミングの周期を検出するシーケンスヘッダ周期検出手段と、前記シーケンスヘッダ周期検出手段により検出された周期の基準信号パルスを発生する基準信号発生手段と、前記シーケンスヘッダタイミング検出手段から出力される視聴中番組のシーケンスヘッダタイミングと前記基準信号発生手段からの基準信号パルスとの位相を検出する位相検出手段と、前記シーケンスヘッダ周期検出手段により検出された特定の番組のシーケンスヘッダ周期、前記番組番号抽出手段により検出された視聴中の番組の番組番号、前記位相検出手段により検出された視聴中の番組の位相、前記タイマ手段からの時刻情報による検出時刻、を保持し、一つの番組番号に対して少なくとも位相と時刻情報については、時刻の異なる２個以上の検出結果を保持するメモリ手段と、リモコン等により次に視聴する番組の番組番号を指定する番組番号設定手段と、前記メモリ手段に保持された番組番号と、その番組の位相情報とその検出時刻の少なくとも２対以上の情報を基に、時刻に対するその番組のシーケンスヘッダタイミングと前記基準信号発生手段による基準信号パルスとの位相の補正係数を求めるマイコン装置と、前記メモリ手段に保持された番組番号と、その番組の位相情報とその検出時刻と、現在の時刻情報と、前記マイコン装置により求められた位相の補正係数を基に次に視聴する番組のシーケンスヘッダタイミングと前記基準信号発生手段による基準信号パルスとの位相を設定する位相ずれ補正手段と前記マイコン装置からのタイミング設定により、次に視聴する番組を設定するためのチャンネル切り替えコードを前記番組抽出分離手段に設定するチャンネル切り替え設定手段とを備え、チャンネル切り替え時に、次に視聴する番組のシーケンスヘッダのタイミングを過去に、２回以上異なる時刻において同番組において検出したシーケンスヘッダのタイミング情報とその検出時刻と現在の時刻を基に予測し、チャンネル切り替え設定を次に視聴する番組の予測されるシーケンスヘッダタイミングに同期して設定することにより、チャンネル切り替え時のシーケンスヘッダ検出までの視聴不可状態を軽減することを特徴とするデジタル放送受信機。
【請求項４】
請求項３における位相ずれ補正手段が、現在の時刻と過去に同番組においてシーケンスヘッダタイミングと前記基準信号発生手段による基準信号パルスとの位相を検出した時刻との差をとる減算器と、前記減算器から出力される時刻差情報と同番組のシーケンスヘッダタイミングと前記基準信号発生手段による基準信号パルスとの位相の補正係数の乗算を行う乗算器と、前記乗算器から出力される補正値と過去に検出した同番組においてシーケンスヘッダタイミングと前記基準信号発生手段による基準信号パルスとの位相の和をとる加算器と、前記加算器出力の結果に対し、前記基準信号発生手段に設定している周期を法とした剰余計算を行う剰余計算器により構成される請求項３記載のデジタル放送受信機。
【発明の詳細な説明】
【０００１】
【発明の属する技術分野】
本発明は、デジタル放送受信機に関するものである。
【０００２】
【従来の技術】
近年発達してきた画像のデジタル圧縮符号化技術を用いて、デジタル放送，ＤＳＭ（Ｄｉｇｉｔａｌ  Ｓｔｏｒａｇｅ  Ｍｅｄｉａ）においてデジタル圧縮画像復元装置を用いた各種機器が実用化され始めている。
【０００３】
従来、デジタル放送受信機は一般的に、図４の様に構成される。
図４は、デジタル放送受信機の一例である標準的なデジタル衛星放送受信機
の構成を示すブロック図である。図４において、１００は、チューナ部で、ＢＳ，ＣＳ等のＬＮＢからの中間周波から所望の物理チャンネルを選択する。
【０００４】
１１５は伝送路復号手段で、選択された物理チャンネルからデジタル信号を再現する。１３０は番組抽出分離手段で、多重されている複数の番組から、所望の番組情報や番組を抽出し、選択された番組の圧縮信号をＰＥＳ（Ｐａｃｋｅｔｉｚｅｄ  Ｅｌｅｍｅｎｔａｒｙ  Ｓｔｒｅａｍ）あるいはＥＳ（ＥｌｅｍｅｎｔａｒｙＳｔｒｅａｍ）等の信号形式で、出力する。１４５はビデオ音声デコード手段（以下ＡＶデコーダと称す）で、前記番組抽出分離手段１３０から出力されたＰＥＳ形式等の符号化され圧縮されたＰＥＳ／ＥＳ形式等の映像、音声信号１３１を復元するとともに、必要に応じて、オンスクリーン合成を行う。
【０００５】
１６０は、映像信号エンコード手段で、映像信号を所望の信号形式ＮＴＳＣ／ＰＡＬ等形式のベースバンド信号にエンコードし、２１０のテレビモニタ等に接続できるようにする。１８０は、マイコンで全体各部のシステム制御を行う。２１２０は、番組番号設定手段で、リモコン等からのチャンネル切り替え等のＩＲ（Ｉｎｆｒａ  Ｒｅｄ）コードを受信し、マイコンに出力する。３００はタイマ装置で、時刻情報をマイコン１８０に与える。以上のような構成により、番組は、テレビモニタ２１０に再現出力されることとなる。
【０００６】
次に、以上の様に構成された従来のデジタル放送受信機におけるチャンネル切り替え動作について、図５を用いて説明する。図５は従来のデジタル放送受信機のチャンネル切り替え動作を示すタイミング図である。図５は、番組１から番組２に切り替わるときの動作を示しており、番組抽出分離装置１３０の出力信号が、ＥＳ（Ｅｌｅｍｅｎｔａｒｙ  Ｓｔｒｅａｍ）形式であるときの一例を示している。図５に示すように通常、圧縮映像信号は、ＧＯＰ（Ｇｒｏｕｐ  Ｏｆ  Ｐｉｃｔｕｒｅ）形式で、構成され、その先頭には、ＳＨ（ＳｅｑｕｅｎｃｅＨｅａｄｅｒ）符号が付加されている。このＳＨには、画面サイズ等のＧＯＰに共通する情報が付加されており、ＡＶデコーダ１４５では、まずこのＳＨ符号を抽出、解読し、番組の映像信号のデコードを開始する。このＳＨ符号は通常一定周期で付加されるが、デジタル放送では、チャンネル切り替え時等の応答性を考慮し、約０．５ｓ程度の間隔で付加されている。
【０００７】
まず図５に示す様に番組１を受信中に番組１のＧＯＰの途中でチャンネル切り替えを行ったとすると、図の様に番組抽出分離装置１３０では、この場合ＧＯＰの途中から、直ちに番組２の圧縮映像信号を出力する。しかし、このときＡＶデコーダ１４５では、番組２のＳＨ符号を抽出するまでは、正常にデコードを開始することができないため、図５に示したように、一定時間のデコード不可の後、番組２のデコードを開始する。
【０００８】
【発明が解決しようとする課題】
しかしながら、上記構成によれば、チャンネル切り替え時に、チャンネル切り替え前の番組の設定の解除後、新番組のシーケンスヘッダを抽出するまでの期間については、どちらの番組もデコードすることができない等の問題点を有していた。
【０００９】
【課題を解決するための手段】
上記課題に対し、本発明のデジタル放送受信機は、受信機内部の基準信号発生手段からの基準信号を基に、受信した番組のシーケンスヘッダ到着のタイミングを測定、記録しておき、チャンネル切り替えの際に、新番組のシーケンスヘッダ到着のタイミングを、前記、過去に記録した情報から予測し、予測されるシーケンスヘッダ到着のタイミングに同期してチャンネル切り替えを行うことを特徴とするものである。
【００１０】
本発明によれば、チャンネル切り替えの際に新番組のシーケンスヘッダ到着のタイミングを予測してから、チャンネル切り替え動作を行うため、新番組を受信してからシーケンスヘッダ到着を待つまでのデコード不可時間を最小にすることができ、高品位、高速なチャンネル切り替えが可能となる。
【００１１】
【発明の実施の形態】
本発明の第１の発明のデジタル放送受信機は、トランスポートストリームから指定された番組の映像、音声情報とそれに付随する情報を抽出する番組抽出分離手段と、デジタル圧縮符号化された画像データ／音声データを復元するビデオ、音声デコード手段と、時刻情報を与えるタイマ手段と、選択された番組の映像符号からシーケンスヘッダタイミングを検出するシーケンスヘッダタイミング検出手段と、前記シーケンスヘッダタイミング検出手段から出力されたシーケンスヘッダタイミングの周期を検出するシーケンスヘッダ周期検出手段と、前記シーケンスヘッダ周期検出手段により検出された周期の基準信号パルスを発生する基準信号発生手段と、前記シーケンスヘッダタイミング検出手段から出力される視聴中番組のシーケンスヘッダタイミングと前記基準信号発生手段からの基準信号パルスとの位相を検出する位相検出手段と、前記シーケンスヘッダ周期検出手段により検出された特定の番組のシーケンスヘッダ周期、前記番組番号抽出手段により検出された視聴中の番組の番組番号、前記位相検出手段により検出された視聴中の番組の位相を保持するメモリ手段と、リモコン等により次に視聴する番組の番組番号を指定する番組番号設定手段と、前記メモリ手段に保持された番組番号とその番組の位相情報を基に次に視聴する番組のシーケンスヘッダタイミングと前記基準信号発生手段による基準信号パルスとの位相を予測するマイコン装置と、前記マイコン装置からのタイミング設定により、次に視聴する番組を設定するためのチャンネル切り替えコードを前記番組抽出分離手段に設定するチャンネル切り替え設定手段とを備えている。
【００１２】
そして、チャンネル切り替え時に、次に視聴する番組のシーケンスヘッダのタイミングを過去に同番組において検出したシーケンスヘッダのタイミング情報を基に予測し、チャンネル切り替え設定を次に視聴する番組の予測されるシーケンスヘッダタイミングに同期して設定することにより、チャンネル切り替え時のシーケンスヘッダ検出までの視聴不可状態を最小時間にするという特徴を有する。
【００１３】
本発明の第２の発明のデジタル放送受信機は、トランスポートストリームから指定された番組の映像、音声情報とそれに付随する情報を抽出する番組抽出分離手段と、デジタル圧縮符号化された画像データ／音声データを復元するビデオ、音声デコード手段と、時刻情報を与えるタイマ手段と、選択された番組の映像符号からシーケンスヘッダタイミングを検出するシーケンスヘッダタイミング検出手段と、前記シーケンスヘッダタイミング検出手段から出力されたシーケンスヘッダタイミングの周期を検出するシーケンスヘッダ周期検出手段と、前記シーケンスヘッダ周期検出手段により検出された周期の基準信号パルスを発生する基準信号発生手段と、前記シーケンスヘッダタイミング検出手段から出力される視聴中番組のシーケンスヘッダタイミングと前記基準信号発生手段からの基準信号パルスとの位相を検出する位相検出手段と、前記シーケンスヘッダ周期検出手段により検出された特定の番組のシーケンスヘッダ周期、前記番組番号抽出手段により検出された視聴中の番組の番組番号、前記位相検出手段により検出された視聴中の番組の位相、前記タイマ手段からの時刻情報による検出時刻、を保持し、一つの番組番号に対して少なくとも位相と時刻情報については、時刻の異なる２個以上の検出結果を保持するメモリ手段と、リモコン等により次に視聴する番組の番組番号を指定する番組番号設定手段と、前記メモリ手段に保持された番組番号と、その番組の位相情報とその検出時刻の少なくとも２対以上の情報を基に、時刻に対するその番組のシーケンスヘッダタイミングと前記基準信号発生手段による基準信号パルスとの位相の補正係数を求めるマイコン装置と、前記メモリ手段に保持された番組番号と、その番組の位相情報とその検出時刻と、現在の時刻情報と、前記マイコン装置により求められた位相の補正係数を基に次に視聴する番組のシーケンスヘッダタイミングと前記基準信号発生手段による基準信号パルスとの位相を設定する位相ずれ補正手段と前記マイコン装置からのタイミング設定により、次に視聴する番組を設定するためのチャンネル切り替えコードを前記番組抽出分離手段に設定するチャンネル切り替え設定手段とを備えている。
【００１４】
そして、チャンネル切り替え時に、次に視聴する番組のシーケンスヘッダのタイミングを過去に、２回以上異なる時刻において同番組において検出したシーケンスヘッダのタイミング情報とその検出時刻と現在の時刻を基に予測し、チャンネル切り替え設定を次に視聴する番組の予測されるシーケンスヘッダタイミングに同期して設定するという特徴を有する。
【００１５】
（実施の形態１）
以下、本発明の第１の発明の実施の形態の一例を図１、図２、図３を参照しながら説明する。
【００１６】
図１は本実施例におけるデジタル放送受信機の要部の構成を示すブロック図、図２は、図１の特にチャンネル切り替え直前の動作を説明するためのタイミング図、図３は図１の特にチャンネル切り替え直後の動作を説明するためのタイミング図である。  前述の図４に示した従来装置の構成と共通部については同符号を符しておりここでは説明を省略する。
【００１７】
図１において、１０００は番組番号抽出手段で、番組抽出分離装置１３０とともに、受信中の番組番号の抽出を行う。１０１０はシーケンスヘッダ検出手段で、番組抽出分離装置１３０とともにシーケンスヘッダタイミングの検出を行う。３０００はメモリ手段で、図１のようにシーケンスヘッダ周期、各番組番号とそのシーケンスヘッダタイミングの位相情報を保持する。
【００１８】
２０００はメモリへの番組番号書き込み用のデータフリップフロップで、チャンネル切り替え時に、番組番号をメモリ内へ書き込む。
３０１０はスイッチで、シーケンスヘッダタイミングパルスをシーケンスヘッダ周期取得期間のみ後段に伝える。
【００１９】
２０４０は第１のデータフリップフロップ、２０５０は第２のデータフリップフロップ、２０６０は減算手段で、ここでは、これらにより、シーケンスヘッダ周期検出手段４０００を構成している。
【００２０】
２０７０はメモリ手段３０００へのシーケンスヘッダ周期書き込み用データフリップフロップで、シーケンスヘッダ検出結果をメモリ手段３０００に出力する。２１１０は基準信号発生装置で、シーケンスヘッダ周期検出手段４０００により検出された周期の基準信号パルスを発生する。
【００２１】
２０１０は、リセットカウンタで、前記基準信号発生装置２１１０からの基準信号パルスによりリセットされ、システムクロックをカウント出力する。２０１５は、第３のデータフリップフロップで、前記リセットカウンタ２０１０からのカウンタ値を、シーケンスヘッダの検出タイミングで出力する。ここでは、図１に示すように、これらにより、位相検出手段４０１０を構成している。
【００２２】
次に２０８０は、データフリップフロップで、チャンネル切り替えのタイミングで、前記位相検出手段４０１０により検出された位相情報をメモリに出力する。
【００２３】
以上のように構成されたデジタル放送受信機について、以下、その動作を説明する。まず、図１、図２において、番組番号１０１の番組を受信しているものとする。このとき、図２に示す様に番組番号抽出分離手段１０００からは、番組番号１０１が出力されている。一方、番組抽出分離手段１３０からは、番組番号１０１のシーケンスヘッダ（ＳＨ）、ＧＯＰ（ＧｒｏｕｐＯｆＰｉｃｔｕｒｅ）が出力され、シーケンスヘッダタイミング検出手段１０１０からは、そのシーケンスヘッダのタイミングにあわせて、図２のようにパルス信号が出力される。このときマイコン１８０から”シーケンスヘッダ周期取得パルス”が出力されると、第１のデータフリップフロップ２０４０は図２のようにタイマ３００からの時刻情報Ｃ１，Ｃ２，Ｃ３を順次出力する。さらに、第２のデータフリップフロップ２０５０は、Ｃ１，Ｃ２を順次出力し、減算器２０６０では、これらの差を、データフリップフロップ２０７０を介して、メモリ３０００のシーケンスヘッダ周期へと出力するとともに、基準信号発生手段２１１０に基準信号の周期設定を行う。
【００２４】
基準信号発生手段２１１０では、その後、設定されたシーケンスヘッダの周期で基準信号を図２のように発生する。さらに、プリセットカウンタ２０１０では、前記基準信号発生手段２１１０の基準信号から、システムクロックのカウントを開始し、第３のデータフリップフロップ２０１５では、前記プリセットカウンタ２０１０のカウント値を、図２のように受信中のシーケンスヘッダのタイミングで出力する。以上のようにして、基準信号タイミングと受信中のシーケンスヘッダタイミングの位相差が検出される。検出された位相情報、この例の場合“Ａ”は、チャンネル切り替えスタートパルス信号により、データフリップフロップ２０８０を介してメモリ３０００に保持され、同時に、番組番号この例の場合“１０１”もデータフリップフロップ２０００を介して、メモリ３００に保持される。ここでの、チャンネル切り替えスタートパルスとは、図２に示す様に受信機に対してチャンネル切り替え動作のスタートを示す信号であり、受信機ではこの信号の後、チャンネル切り替え後の番組の映像信号のシーケンスヘッダを検出して、図２の例に示すように番組番号１０１から１０２に切り替わる。
【００２５】
以上の様にして、視聴した番組の番組番号と、位相情報がチャンネル切り替え毎にメモリ３０００に記録されることとなる。
【００２６】
次にチャンネル切り替え時に、メモリ３０００内に記録された番組番号と位相情報が使用される動作について図３を用いて説明する。ここでは、番組番号１０２の番組から１０３にチャンネル切り替えを行うときを例に説明する。
【００２７】
まず、図３において、チャンネル切り替えスタートパルス信号により受信機は、チャンネル切り替え動作に入ったことを示すためのオンスクリーン表示を行う。同時に番組番号設定手段２１２０出力からは、次の番組の番組番号１０３をマイコン１８０に示す。すると、マイコン１８０は、番組番号１０３の以前視聴したときの位相情報、この例の場合“Ｃ”を、図１、図３に示す様に、メモリ３０００から読み出す。読み出された位相情報“Ｃ”はマイコン１８０により、遅延手段２１００に出力され、遅延手段２１００では、基準信号発生手段２１１０からの基準信号パルスを番組番号１０３の映像信号で予想されるシーケンスヘッダのタイミングで出力する。次に第４のデータフリップフロップ２０３０では、このタイミング信号により、番組番号１０３等を含むチャンネル切り替えコードを番組抽出分離手段１３０へと出力する。
【００２８】
以上の結果、番組抽出分離手段１３０が、選択する番組を番組番号１３０へと切り替えると、番組抽出分離装置１３０から出力されるＰＥＳ／ＥＳ信号はすぐに番組番号１０３の番組の映像信号のシーケンスヘッダから開始されることとなり、後段のＡＶデコーダ１４５では、直ちに番組のデコードを開始することができる。
【００２９】
また以上の結果、チャンネル切り替えの際に新番組の映像信号符号中のシーケンスヘッダ検出までの視聴不可時間を最小にすることができ、高品位なチャンネル切り替えが実現できる。
【００３０】
（実施の形態２）
以下、本発明の第２の発明の実施の形態の一例について図面を参照しながら説明する。図６は本発明の第２の発明のデジタル放送受信機の要部の構成を示すブロック図である。前述の図１に示した第１の発明の実施の形態の構成と共通部についてはここでは説明を省略する。図６において、３０００は、図１と同様のメモリ手段であるが、ここでは、番組番号に対して、そのシーケンスヘッダと基準パルスとの位相情報だけでなく、その、検出時刻も過去２回について記録している点に特徴がある。５０１０はデータフリップフロップで、前記検出時刻をチャンネル切り替えスタートパルスのタイミングでメモリ３０００に出力する。
【００３１】
また、５０００は、ここで新規に設けた位相ずれ補正手段で、前記メモリ３０００に記録された２つの時刻におけるシーケンスヘッダの位相情報の差をもとに、チャンネル切り替え先の番組のシーケンスヘッダ到着タイミングを、より正確に予測する。
【００３２】
シーケンスヘッダ周期検出手段４０００、位相検出手段４０１０等の動作については第１の発明の図１の動作と同様であるため、説明を省略するが、ここでは、シーケンスヘッダ取得パルスが、一つの番組に対して時間をおいて２回出力される。その結果、メモリ３０００には、一つの番組に対して、異なる時刻に対する２つの位相情報が記録されることとなる。
【００３３】
次に、以上の様にメモリ３０００に記録された時刻情報と、位相情報を用いてのチャンネル切り替え動作について説明する。
【００３４】
図７に位相ずれ補正手段５０００の一構成例を示す。図７は図６の位相ずれ補正手段５０００の構成例を示すブロック図である。以下、図６、図７を用いて、チャンネル切り替え動作について説明する。チャンネル切り替えは、第１の発明での説明の時と同様に番組番号１０２の番組から番組番号１０３の番組に切り替えるときを例にとり説明する。
【００３５】
図７において、５００１、５００２、５００３、５００４はデータフリップフロップで、“チャンネル切り替えスタートパルス”により、タイマ３００からの現在時刻情報、マイコン１８０からのこの例の場合、番組番号１０３の番組の“Ｃｃ”、“ｔＣｃ”、“αｃ”が取り込まれる。
【００３６】
ここで、図６のメモリ３０００に示すように、“Ｃｃ”は、番組番号１０３の番組のシーケンスヘッダの時刻“ｔＣｃ”におけるシーケンスヘッダタイミングと内部基準信号との位相情報である。また、“αｃ”は、単位時間当たりの位相情報のずれを示す補正係数であり、図１のメモリ３０００内のパラメータを用いて、
“αｃ”＝（“Ｃｃ”−“Ｃｐ”）／（“ｔＣｃ”―“ｔＣｐ”）
で、定義される。
【００３７】
次に、図７において、５００５は、減算器でタイマ３００出力と前記“ｔＣｃ”との差、すなわち
“タイマ３００出力”―“ｔＣｃ”
を出力する。さらに、５００６は乗算器で、前記５００５出力、前記“αｃ”との乗算を行い、
（“タイマ３００出力”―“ｔＣｃ”）×“αｃ”
を出力する。
【００３８】
５００７は、加算器で、前記“Ｃｃ”と前記乗算器５００６出力を加算し、
（“タイマ３００出力”―“ｔＣｃ”）×“αｃ”＋“Ｃｃ”
を出力する。５００８は剰余計算器で、ここでは、図６の基準信号発生装置２１１０の周期“Ｔ”を法とした、剰余計算を行い、
（（“タイマ３００出力”―“ｔＣｃ”）×“αｃ”＋“Ｃｃ”）  ｍｏｄ  “Ｔ”
を出力する。
【００３９】
このようにして得られたシーケンスヘッダタイミングを遅延手段２１００に設定し、第１の発明の時と同様にチャンネル切り替えを行う。
【００４０】
以上の結果、図６の基準信号発生装置２１１０の基準信号と、番組のシーケンスヘッダタイミングが完全に同期しておらず、一定の割合でずれを生じていても、上記剰余計算器５００８出力が、チャンネル切り替え後の番組のシーケンスヘッダタイミングを示すことが可能となる。
【００４１】
なお、第１の実施例、第２の実施例ともに、ハードウエアによる構成例を示したが、これらの機能をマイコン装置１８０内においてソフトウエアにより、実現することも可能である。
【００４２】
【発明の効果】
以上のように本発明によれば、チャンネル切り替えの際に、次に視聴する番組の映像符号中のシーケンスヘッダのタイミングを、前回に視聴した際の同タイミング情報から予測して、最適なタイミングで、チャンネル切り替えを実行するため、チャンネル切り替え中に発生する新番組のシーケンスヘッダ検出までの視聴不可時間を最小にした、高品位なチャンネル切り替えが実現できる。
【図面の簡単な説明】
【図１】本発明の第１の実施例におけるデジタル放送受信機の要部の構成を示すブロック図
【図２】本発明の第１の実施例におけるデジタル放送受信機の要部の動作の特にチャンネル切り替えの前半の動作を説明するためのタイミング図
【図３】本発明の第１の実施例におけるデジタル放送受信機の要部の動作の特にチャンネル切り替えの後半の動作を説明するためのタイミング図
【図４】従来のデジタル放送受信機の概略構成を示すブロック図
【図５】従来のデジタル放送受信機のチャンネル切り替え動作を説明するためのタイミング図
【図６】本発明の第２の実施例におけるデジタル放送受信機の要部の構成を示すブロック図
【図７】本発明の第２の実施例におけるデジタル放送受信機の位相ずれ手段の一構成例を示すブロック図
【符号の説明】
１３０  番組抽出分離手段
１４５  ビデオ音声デコード手段
１８０  マイコン装置
３００  タイマ手段
１０１０  シーケンスヘッダタイミング検出手段
４０００  シーケンスヘッダ周期検出手段
２１１０  基準信号発生手段
４０１０    位相検出手段
３０００  メモリ手段
２１２０    番組番号設定手段
４０２０      チャンネル切り替え設定手段
５０００  位相ずれ補正手段
【図１】
0003557874.tif 000002
【図２】
0003557874.tif 000003
【図３】
0003557874.tif 000004
【図４】
0003557874.tif 000005
【図５】
0003557874.tif 000006
【図６】
0003557874.tif 000007
【図７】
0003557874.tif 000008